(57)【要約】      （修正有）【課題】複数のタイルを壁面等に取付けるタイルユニットにおいて、より安価なタイルユニットを提供する。【解決手段】タイルユニット１０は、一面に取り付け可能なマグネットシート２０と、マグネットシート２０に対して、直接、接着固定される複数個のタイル３０と、を備える。タイル３０は、ガラス、天然石、陶器、または、樹脂に、塗装を施したものである。【選択図】図２
0003230007.tif 000002
【実用新案登録請求の範囲】
【請求項１】
一面に取り付け可能なマグネットシートと、
前記マグネットシートに対して、直接、接着固定される複数個のタイルと、
を備えるタイルユニット。
【請求項２】
前記タイルは、ガラス、天然石、陶器、樹脂に塗装を施した物の何れか１つである、
請求項１に記載のタイルユニット。
【考案の詳細な説明】
【技術分野】
【０００１】
本考案は、複数個のタイルを壁面等に取付けることができるタイルユニットに関する。
【背景技術】
【０００２】
特許文献１には、磁石を用いてタイルを壁面等に取付ける技術が開示されている。
【０００３】
特許文献１のタイルは、金属薄板の成形体と、この成形体の裏面に組合わされた磁性体（磁性板）とからなる。裏面の磁性体により、タイルを下地用の鉄板に吸着固定でき、タイルの取付け及び取替えが容易となる。
【０００４】
ところで、タイルにはモザイク・タイルという分野がある。モザイク・タイルは、数ｍｍ〜数十ｍｍ角の小タイルを多数個並べることにより意匠性が発揮されるタイルユニットである。
【０００５】
モザイク・タイルに特許文献１の技術を適用すると、当該モザイク・タイルを構成する小タイルの各々に磁性体を設けるため、磁性体を小タイルの数だけ準備する必要があり、磁性体の取付け回数が増え、取付け費用が嵩む。その上、磁性体の寸法が小さいため、磁性体の取付けが面倒であり、取付け費用が更に嵩む。結果、モザイク・タイルは高価なものとなる。
【先行技術文献】
【特許文献】
【０００６】
【特許文献１】特開平９−１１１９９７号公報
【考案の概要】
【考案が解決しようとする課題】
【０００７】
本考案は、複数のタイルを一括して壁面等に取付けるタイルユニットにおいて、より安価なタイルユニットを提供することを課題とする。
【課題を解決するための手段】
【０００８】
本考案におけるタイルユニットは、一面に取り付け可能なマグネットシートと、前記マグネットシートに対して、直接、接着固定される複数個のタイルと、を備える。
【０００９】
また、本考案におけるタイルユニットでは、前記タイルは、ガラス、天然石、陶器、樹脂に塗装を施した物の何れか１つである。
【考案の効果】
【００１０】
本考案によれば、複数のタイルを壁面等に取付けるタイルユニットにおいて、より安価なタイルユニットを提供することができる。
【図面の簡単な説明】
【００１１】
【図１】タイルユニットが施工された構造体の全体図である。
【図２】図１に示すタイルユニットの構成を示す図である。
【図３】図２に示すタイルユニットを、一面、例えば壁面に取付ける施工手順を説明するための説明図である。
【考案を実施するための形態】
【００１２】
図１は、タイルユニット１０が施工された構造体の全体図である。
図１に示すように、カウンター１の腰壁にタイルユニット１０が張り付けられている。本考案のタイルユニット１０は、季節毎に色や模様が異なるタイルユニット１０に交換することができる。
【００１３】
図２は、図１に示すタイルユニット１０の構成を示す図である。
図２に示すように、タイルユニット１０は、マグネットシート２０と、マグネットシート２０に接着された複数個（この例では８×８＝６４個）のタイル３０と、からなる。
【００１４】
マグネットシート２０は、例えば、０．１〜３．０ｍｍ厚さで、横寸法が５０〜１０００ｍｍで、縦寸法が５０〜１０００ｍｍである矩形シートである。好ましくは、タイル３０と接する面を「白色」や「シルバー色」とする。
【００１５】
タイル３０は、長方形、円形、楕円、長円、菱形であってもよいが、好ましくは正方形の板とする。一辺の大きさは３〜３０ｍｍの範囲であれば任意であるが、５ｍｍ、１０ｍｍ、２０ｍｍが推奨される。
【００１６】
タイル３０の材質は、ガラス、天然石、陶器、樹脂、人造石、木、紙、金属又はこれらを組み合わせた物の何れであっても良い。また、例えば、樹脂貴材に金属片を混ぜた塗料を塗布しても良い。中でも、光沢性に優れるガラス、天然石、陶器、樹脂に塗装を施した物が望ましい。ガラス、天然石、陶器、樹脂に塗装を施した物の中では、造形が容易なガラスが望ましい。 ガラスであれば、おもて面に筋模様３２などの模様を、ガラス細工の一環として、容易に付けることができる。
【００１７】
タイル３０は、長方形の板や直角三角形の板であってもよい。絵画をモザイク画としてタイル３０で表現するときに、非正方形のタイル３０が役立つからである。
【００１８】
タイル３０は、好ましくは、３．５ｍｍ程度の厚さで且つ台形断面を呈し、裏面がおもて面よりも小面積になるようにする。
【００１９】
以上により、図１に示すようなタイルユニット１０が得られる。すなわち、タイルユニット１０は、複数個のタイル３０がマグネットシート２０に接着固定されている。
【００２０】
図３は、図２に示すタイルユニット１０を、一面、例えば壁面５０に取付ける施工手順を説明するための説明図である。
【００２１】
図３に示すように、好ましくは、壁面５０にマグネットペイント層５１を塗装形成する。マグネットペイントは、鉄粉の微粒子が適量含まれている塗料であり、複数回塗装することで、所定の厚さのマグネットペイント層５１を形成することができる。マグネットペイント層５１は、鉄系材料の薄板であってもよい。
【００２２】
マグネットペイント層５１にマグネットシート２０を磁力吸着させることで、壁面５０にタイルユニット１０を取付ける。タイルがガラスや陶器や天然石である場合は、タイルユニット１０は重くなるが、マグネットシート２０は、タイルユニット１０の自重の数十倍程度の吸着力（保持力）を発生するため、タイルユニット１０が脱落する心配はない。大地震などでタイルユニット１０がずれたとしても、簡単に直せる。
【００２３】
この貼り付け作業は、タイル工以外の一般作業員（又は普通人）が実施できる。また、従来の施工法のようにモルタルや接着剤を用いて、タイルを壁面５０に貼り付ける場合は、モルタルや接着剤の強度がでるまで養生期間を置く必要があるが、本考案では、その必要はない。よって、貼り付けに必要な時間と費用を大幅に低減することができる。
【００２４】
本考案のタイルユニット１０は、図１に示すように、宝石を並べたような外観を呈し、高級感に富む。よって、高級なレストランのカウンターの腰壁や、上級のホテルや美術館のロビーの壁に嵌め込むことができる。また、トイレルームやパウダールームの壁の全部又は一部に本考案のタイルユニット１０を嵌め込むことができる。
【００２５】
さらには、タイルユニット１０は、異質材料、異なる色、異なる模様のタイル３０で構成することができ、タイルユニット１０をアート（美術品）仕様にして、壁等に掛けることができる。よって、タイルユニット１０の用途は限定されない。
【００２６】
さらには、本考案のタイルユニット１０は、壁面５０に嵌めることを基本とするが、テーブルの上面や天井面や床面に嵌めることもできる。よって、取付け対象は任意である。
【００２７】
また、タイル３０の裏面には、一又は複数の凸部を設けても良い。これにより、タイル３０は、マグネットシート１０に対して僅かに傾く場合がある。結果、複数個のタイル３０は僅かに不揃いとなり、おもて面の反射が不揃いとなり、意匠的な面白さが発揮される。
【産業上の利用可能性】
【００２８】
本考案は、壁面に貼り付けるタイルユニットに好適である。
【符号の説明】
【００２９】
１０…タイルユニット、２０…マグネットシート、３０…タイル
【図１】
0003230007.tif 000003
【図２】
0003230007.tif 000004
【図３】
0003230007.tif 000005